(57)【要約】【課題】流通時に光ディスクを保護するのみでなく、流通時以外にも有効活用することが可能な光ディスク用の収納具を提供することを課題とする。【解決手段】収納具１０５であって、光ディスク３を収納する凹状の収納部１０４を有する本体１０２と、該本体１０２にヒンジ３で連結され且つ該収納部１０４を開閉可能な蓋板１０３と、を備え、前記蓋板１０３は、前記光ディスク３が収納された前記収納部１０４を前記蓋板１０３が閉じた状態において該光ディスク３の上面のうち少なくとも一部を支持する支持面１０８と、前記支持面１０８と反対側の面にマウス操作が可能なマウス操作面１０９とを有する。【選択図】図９
0003124922.tif 000002
【実用新案登録請求の範囲】
【請求項１】
光ディスクを収納する凹状の収納部を有する本体と、該本体にヒンジで連結され且つ該収納部を開閉可能な蓋板と、を備え、
前記収納部は、
前記光ディスクが前記収納部に収納された状態において該光ディスクの下面のうち少なくとも一部を支持する第一底面と、
前記光ディスクが前記収納部に収納された状態において該光ディスクの側面のうち少なくとも一部を支持する第一壁面と、を有し、
前記蓋板は、
前記光ディスクが収納された前記収納部を前記蓋板が閉じた状態において該光ディスクの上面のうち少なくとも一部を支持する支持面と、
前記蓋板の前記支持面と反対側の面にマウス操作が可能なマウス操作面と、を有する、
収納具。
【請求項２】
光ディスクと冊子とを収納する凹状の収納部を有する本体と、該本体にヒンジで連結され且つ該収納部を開閉可能な蓋板と、を備え、
前記収納部は、
前記光ディスクが前記収納部に収納された状態において該光ディスクの下面のうち少なくとも一部を支持する第一底面と、
前記光ディスクが前記収納部に収納された状態において該光ディスクの側面のうち少なくとも一部を支持する第一壁面と、
前記収納部に収納された前記光ディスクの上面と同じ高さに位置し、且つ、前記冊子が前記収納部に収納された状態において該冊子の裏表紙のうち少なくとも一部を支持する第二底面と、
前記冊子が前記収納部に収納された状態において該冊子の縁のうち少なくとも一部を支持する第二壁面と、を有し、
前記蓋板は、
前記光ディスクと前記冊子とが収納された前記収納部を前記蓋板が閉じた状態において該冊子の表表紙のうち少なくとも一部を支持する支持面と、
前記蓋板の前記支持面と反対側の面にマウス操作が可能なマウス操作面と、を有する、
収納具。
【請求項３】
前記本体は、マウス操作時に前記収納具が設置される机の設置面との摩擦係数を高める滑り止めを更に有する、
請求項１又は２に記載の収納具。
【請求項４】
前記収納具は、前記蓋板が前記収納部を閉じた状態において該蓋板が前記ヒンジを介して容易に回動しないように係止する係止部を更に有する、
請求項１から３の何れかに記載の収納具。
【考案の詳細な説明】
【技術分野】
【０００１】
本考案は、収納具に関する。
【背景技術】
【０００２】
近年、コンピュータが職場や家庭に急速に普及しつつある。コンピュータの普及に伴い、書類や広告等の情報の流通媒体は、印刷物等から光ディスク等へ移行しつつある。
【考案の開示】
【考案が解決しようとする課題】
【０００３】
光ディスクは、記録面を保護するため、流通の際には封筒やプラスチックのケース等からなる収納具に収納される。一方、光ディスクは、記録されているデータがコンピュータ内に一旦保存されてしまえば、光ディスクそのものは不要になることが多い。このため、光ディスクやその収納具は、記録されているデータがコンピュータ内に保存された後は書架等に保管されたままになるか或いは廃棄物として処分されてしまうことが多く、有効活用されていないのが実情である。
【０００４】
そこで、本考案は、流通時に光ディスクを保護するのみでなく、流通時以外にも有効活用することが可能な光ディスク用の収納具を提供することを課題とする。
【課題を解決するための手段】
【０００５】
本考案は、上述の課題を解決するため、光ディスクを収納可能な収納具にマウス操作が可能なマウス操作面を設けることとした。
【０００６】
詳細には、本考案は、収納具であって、光ディスクを収納する凹状の収納部を有する本体と、該本体にヒンジで連結され且つ該収納部を開閉可能な蓋板と、を備え、前記収納部は、前記光ディスクが前記収納部に収納された状態において該光ディスクの下面のうち少なくとも一部を支持する第一底面と、前記光ディスクが前記収納部に収納された状態において該光ディスクの側面のうち少なくとも一部を支持する第一壁面と、を有し、前記蓋板は、前記光ディスクが収納された前記収納部を前記蓋板が閉じた状態において該光ディスクの上面のうち少なくとも一部を支持する支持面と、前記蓋板の前記支持面と反対側の面にマウス操作が可能なマウス操作面と、を有する。
【０００７】
上述の収納具は、本体と蓋板とを備える。本体には、光ディスクを収納する凹状の収納部が設けられている。また、蓋板は、ヒンジを介して回動可能なように本体と連結され、光ディスクが収納される収納部の開口部を開閉することが可能なように構成されている。
【０００８】
収納具は、光ディスクが収納部に収納され、更に蓋板によって収納部が閉じられた状態になると、第一底面によって光ディスクの下面のうち少なくとも一部を支持し、第一壁面によって光ディスクの側面のうち少なくとも一部を支持し、支持面によって光ディスクの上面のうち少なくとも一部を支持する。これにより、収納具は、収納した光ディスクを安定した状態で保持し、流通時に光ディスクを保護することが可能になる。
【０００９】
ここで、収納部内に光ディスクが収納された状態において、光ディスクの上面を支持する支持面は、光ディスクを介して第一底面に支えられている。光ディスクの下面が第一底面によって支持されているからである。これにより、蓋板に設けられたマウス操作面にマウスが置かれ、荷重が加えられても蓋板の変形が抑制される。光ディスクが収納されれば蓋板の変形が抑制されるため、マウス操作面が変形しない。このため、マウス操作面が変
形しないように収納具の構造を強固にする必要が無い。強固な構造を要しないため光ディスクを流通させる際の収納具として適しているにも関わらず、マウス操作面も変形しないためマウス操作台として有効に活用することができる。
【００１０】
以上により、本考案に係る収納具によれば、流通時に光ディスクを保護するのみでなく、流通時以外にも有効活用することが可能になる。
【００１１】
ここで、本発明は、上述の課題を解決するため、収納具であって、光ディスクと冊子とを収納する凹状の収納部を有する本体と、該本体にヒンジで連結され且つ該収納部を開閉可能な蓋板と、を備え、前記収納部は、前記光ディスクが前記収納部に収納された状態において該光ディスクの下面のうち少なくとも一部を支持する第一底面と、前記光ディスクが前記収納部に収納された状態において該光ディスクの側面のうち少なくとも一部を支持する第一壁面と、前記収納部に収納された前記光ディスクの上面と同じ高さに位置し、且つ、前記冊子が前記収納部に収納された状態において該冊子の裏表紙のうち少なくとも一部を支持する第二底面と、前記冊子が前記収納部に収納された状態において該冊子の縁のうち少なくとも一部を支持する第二壁面と、を更に有し、前記蓋板は、前記光ディスクと前記冊子とが収納された前記収納部を前記蓋板が閉じた状態において該冊子の表表紙のうち少なくとも一部を支持する支持面と、前記蓋板の前記支持面と反対側の面にマウス操作が可能なマウス操作面と、を有するようにしてもよい。
【００１２】
一般的に、光ディスクを流通させる際には、光ディスクの内部に記録されている情報の要約等が記載された冊子を添付する必要がある場合が多い。そこで、本発明は、光ディスクの流通時にこのような冊子を合わせて収納することが可能なようにするため、収納部に、上述した第一底面と第二底面の他に、冊子の裏表紙のうち少なくとも一部を支持する第二底面と、冊子の縁のうち少なくとも一部を支持する第二壁面とを更に設ける。また、蓋板の支持面は、冊子の表表紙のうち少なくとも一部を支持する。蓋板の支持面が冊子の表表紙を支持するようにしているため、マウス操作台として使用される場合には、蓋板の支持面が冊子と光ディスクを介して第一底面により支持されることになる。蓋板の支持面が第一底面によって支持されるため、本収納具がマウス操作台として使用される際、蓋板の支持面と反対側の面に設けられたマウス操作面が変形しない。マウス操作面が変形しないため、本収納具はマウス操作台としての機能を有効に発揮することが可能になる。これにより、本収納具が光ディスクのみならず冊子をも収納でき、且つ、マウス操作台としても有効に機能することが可能になる。
【００１３】
ここで、前記本体は、マウス操作時に前記収納具が設置される机の設置面との摩擦係数を高める滑り止めを更に有するようにしてもよい。
【００１４】
マウス操作面においてマウスがスライドされると、マウスとマウス操作面との間に摩擦力が発生する。この摩擦力により、収納具には水平方向に移動しようとする力が生じる。ここで、収納具の本体と机の設置面との摩擦力が弱いと、設置面から収納具の本体に向かって加えられる反力が弱いために収納具自体がマウスとともに移動してしまう。そこで、本体に、本体と設置面との摩擦係数を高める滑り止めを更に設ける。これにより、マウス操作面でマウスを操作しても収納具がマウスとともに移動しなくなる。
【００１５】
ここで、前記収納具は、前記蓋板が前記収納部を塞いだ状態において該蓋板が前記ヒンジを介して容易に回動しないように係止する係止部を更に有するようにしてもよい。
【００１６】
収納部を塞ぐ蓋板は、何ら係止されていない状態で流通されると、ヒンジを介して回動してしまう。収納部を塞ぐ蓋板が流通時に回動してしまうと、収納部の開口部から光ディスクや冊子が脱落してしまう可能性がある。そこで、蓋板がヒンジを介して回動しないよ
うに、例えば、ヒンジと離間した位置に本体と蓋板とを係止する係止部を更に設ける。これにより、収納部に収納された光ディスクや冊子の脱落を防止することができる。
【考案の効果】
【００１７】
本考案によれば、流通時に光ディスクの記録面を保護するのみでなく、流通時以外にも有効活用することが可能な光ディスク用の収納具を提供することが可能となる。
【考案を実施するための最良の形態】
【００１８】
以下、本考案を実施するための最良の形態を例示的に説明する。以下に示す実施形態は例示であり、本考案はこれらに限定されない。
【実施例１】
【００１９】
図１は、本考案の一実施例に係る収納具１の斜視図である。本実施例に係る収納具１は、本体２と、該本体２の縁に回動可能なようにヒンジ３で連結された蓋板４とにより構成される。また、本体２には、光ディスク５を収納する収納部６が設けられている。
【００２０】
図２は、本実施例に係る収納具１を構成する一部品であるボール紙７を示す。また、図３は、本実施例に係る収納具１を構成する一部品であるボール紙８を示す。収納具１の本体２は、光ディスク５の側面に添うように略同一な形状及び大きさに切り取られた穴９を有するボール紙７と、該穴９を有さないボール紙８とを接着することにより構成される。ボール紙７には折り目１０が設けられており、この折り目１０がヒンジ３の役割を果たすことになる。ボール紙７とボール紙８とを接着し、折り目１０を折ることにより、収納具１が完成する。なお、収納具１は、ボール紙７、及び８で構成されているが、本考案がボール紙以外の材質、例えば、プラスチック等でも形成可能であることは言うまでもない。
【００２１】
次に、本実施例に係る収納具１の使用方法を説明する。図４において示すように、光ディスク５を収納部６に収納する。次に、図５において示すように、蓋板４により収納部６を塞ぐ。
【００２２】
図６は、光ディスク５が収納部６に収納された状態における収納具１の上面図である。また、図７は、光ディスク５が収納部６に収納された状態における収納具１のＡ−Ａ断面図である。図７において示すように、光ディスク５は、記録面である下面の部分が本体２の第一底面１１に、側面の部分が本体２の第一壁面１２に、印刷面である上面の部分が蓋板４の支持面１３によって支持される。これにより、光ディスク５を流通させる際に該光ディスク５が安定して保持されるので、記録面が保護される。また、光ディスク５を収容した状態でマウス操作面１４にマウスを置いて荷重を加えても、光ディスク５によって支持面１３が支持されているのでマウス操作面１４が変形しない。マウス操作面１４が変形しないため、収納具１がマウス操作台としての機能を有効に維持することが可能となり、収納具１が有効活用される。
【００２３】
本実施例に係る収納具１は空洞状の収納部を有しているにも関わらず、光ディスクによりマウス操作面の裏面が支持されるため、収納具をボール紙のような薄い板等で製造することが可能である。このため、極めて安価に製造することが可能であり、環境への負荷も極めて少ない。極めて安価に製造することが可能であるため、無償で配布するような販売促進用品としても適している。
【００２４】
以上により、本実施例に係る収納具１によれば、流通時に光ディスクを保護するのみでなく、流通時以外にも有効活用することが可能になる。
【実施例２】
【００２５】
以下、上述した実施例の変形例について説明する、上述の実施例１と同様の構成要素については同一の符号を付し、その詳細な説明を省略する。
【００２６】
図８は、本考案の一変形例に係る収納具１０１の斜視図である。本変形例に係る収納具１０１は、上述した実施例１と同様、本体１０２と、該本体１０２の縁に回動可能なようにヒンジ３で連結された蓋板１０３とにより構成される。また、本体１０２には、光ディスク５を収納する収納部１０４が設けられている。
【００２７】
次に、本変形例に係る収納具１０１の使用方法を説明する。図９において示すように、光ディスク５と冊子１０５を収納部１０４に収納する。次に、図１０において示すように、蓋板１０３により収納部１０４を塞ぐ。なお、蓋板１０３には、脱着を繰り返すことが可能な粘着テープからなる係止部１１１がヒンジ３と反対側の縁に設けられている。これにより、収納部１０４を塞いだ蓋板１０３が不意に開くことがない。また、収納部１０４には、収納した光ディスク５を取り出しやすいように切り欠き状の指掛け部１１２が設けられている。更に、本体１０２の裏面には、マウス操作時に設置される机の設置面との摩擦力を高める滑り止めのスポンジが貼り付けられている。
【００２８】
図１１は、光ディスク５が収納部１０４に収納された状態における収納具１０１の上面図である。また、図１２は、光ディスク５が収納部１０４に収納された状態における収納具１０１のＢ−Ｂ断面図である。図１２において示すように、光ディスク５は、記録面である下面の部分が本体１０２の第一底面１１に、側面の部分が本体１０２の第一壁面１２に支持される。また、冊子１０５は、裏表紙の部分が本体１０２の第二底面１０６に、縁の部分が本体１０２の第二壁面１０７に支持される。更に、光ディスク５の印刷面である上面の部分は、冊子１０５を介して蓋板１０３の支持面１０８に支持される。これにより、光ディスク５を流通させる際に該光ディスク５が安定して保持されるので、記録面が保護される。また、光ディスク５と冊子１０５とを収納した状態でマウス操作面１０９にマウスを置いても、冊子１０５を介して光ディスク５により支持面１０８が支持されているので、支持面１０８がある面と反対側の面にあるマウス操作面１０９が変形しない。マウス操作面１０９が変形しないため、収納具１０１がマウス操作台としての機能を有効に発揮することが可能になる。
【００２９】
本変形例に係る収納具１０１は、前述した実施例１と同様の効果の他、マウス操作面１０９に広告１１０が印刷されているので、収納具１０１が販売促進品として頒布されて流通している際に極めて高い宣伝効果を発揮し、流通後もマウス操作台としてユーザの目に付きやすい場所に設置されるので、極めて高い宣伝効果を発揮し続けることが可能になる。一般的に、無償配布される光ディスクやその収納具は、ユーザのコンピュータ内に一旦保存されると書架等に保管されたり廃棄物として処分されてしまうが、本変形例に係る収納具１０１によれば、ユーザの目に触れる場所で継続的に使用されるため、極めて高い販売促進効果を発揮し続けることが可能である。
【図面の簡単な説明】
【００３０】
【図１】実施例１に係る収納具の斜視図。
【図２】実施例１に係る収納具の一部品を示す図。
【図３】実施例１に係る収納具の一部品を示す図。
【図４】実施例１に係る収納具の使用方法を示す図。
【図５】実施例１に係る収納具の使用方法を示す図。
【図６】実施例１に係る収納具の上面図。
【図７】実施例１に係る収納具のＡ−Ａ断面図。
【図８】実施例２に係る収納具の斜視図。
【図９】実施例２に係る収納具の使用方法を示す図。
【図１０】実施例２に係る収納具の使用方法を示す図。
【図１１】実施例２に係る収納具の上面図。
【図１２】実施例２に係る収納具のＢ−Ｂ断面図。
【符号の説明】
【００３１】
１、１０１・・・・・・・・・・収納具
２、１０２・・・・・・・・・・本体
３・・・・・・・・・・・・・・ヒンジ
４、１０３・・・・・・・・・・蓋板
５・・・・・・・・・・・・・・光ディスク
６、１０４・・・・・・・・・・収納部
７、８・・・・・・・・・・・・ボール紙
９・・・・・・・・・・・・・・穴
１０・・・・・・・・・・・・・折り目
１１・・・・・・・・・・・・・第一底面
１２・・・・・・・・・・・・・第一壁面
１３、１０８・・・・・・・・・支持面
１４、１０９・・・・・・・・・マウス操作面
１０５・・・・・・・・・・・・冊子
１０６・・・・・・・・・・・・第二底面
１０７・・・・・・・・・・・・第二壁面
１１０・・・・・・・・・・・・広告
１１１・・・・・・・・・・・・係止部
１１２・・・・・・・・・・・・指掛け部
【図１】
0003124922.tif 000003
【図２】
0003124922.tif 000004
【図３】
0003124922.tif 000005
【図４】
0003124922.tif 000006
【図５】
0003124922.tif 000007
【図６】
0003124922.tif 000008
【図７】
0003124922.tif 000009
【図８】
0003124922.tif 000010
【図９】
0003124922.tif 000011
【図１０】
0003124922.tif 000012
【図１１】
0003124922.tif 000013
【図１２】
0003124922.tif 000014